(57)【要約】【課題】洗濯乾燥装置にて、乾燥行程および乾燥終了後の（衣類シワ軽減のために行う）間欠運転を運転する場合、乾燥行程が終了した時点で、情報端末装置により、衣類の乾燥が終了した（故に洗濯乾燥装置１から衣類を取り出し可能である）旨を報知する。【解決手段】洗濯から乾燥および乾燥終了後の間欠運転までを逐次制御する洗濯乾燥装置１および情報端末装置３５と、洗濯乾燥装置１および情報端末装置３５との間で運転状態および機器制御に関するデータを送受信するデータ通信手段２８ａおよび２８ｂと、情報端末装置３５にて洗濯乾燥装置１の運転状態などを表示する表示手段２９を備え、情報端末装置３５は、洗濯乾燥装置１の乾燥終了時に、表示手段２９に第１の運転終了画面を表示するようにする。【選択図】  図３
2005034186.tif 000002
【特許請求の範囲】
【請求項１】
洗濯から乾燥および乾燥終了後の間欠運転までを逐次制御する洗濯乾燥装置および情報端末装置と、前記洗濯乾燥装置および前記情報端末装置との間で前記洗濯機乾燥装置の運転状態および機器制御に関するデータを送信または受信するデータ通信手段と、前記情報端末装置にて前記洗濯乾燥装置の運転状態などを表示する表示手段を備え、前記情報端末装置は、前記洗濯乾燥装置の乾燥終了時に、前記表示手段に第１の運転終了画面を表示する洗濯乾燥システム。
【請求項２】
情報端末装置は音声またはブザー音を出力する音声出力手段を備え、情報端末装置は、前記表示手段にて第１の運転終了画面を表示する場合、前記音声出力手段から第１の確認音を吹鳴する請求項１記載の洗濯乾燥システム。
【請求項３】
情報端末装置は使用者が洗濯時間や好みの運転内容を入力する入力手段を備え、情報端末装置は、前記入力手段により所定の入力を行った場合、前記表示手段に表示した第１の運転終了画面を消去する請求項１記載の洗濯乾燥システム。
【請求項４】
洗濯乾燥装置は使用者の操作により電源入り切り可能な操作部を備え、情報端末装置は、前記洗濯乾燥装置において乾燥終了後の間欠運転中に前記操作部により前記洗濯乾燥装置の電源を切状態にした場合、前記表示手段に表示した第１の運転終了画面を消去する請求項１記載の洗濯乾燥システム。
【請求項５】
洗濯乾燥装置は洗濯または乾燥させる衣類を取り出し可能な開口部を開閉する蓋体と、前記蓋体の開閉を検知する開閉検知手段とを備え、情報端末装置は、前記洗濯乾燥装置において乾燥終了後の間欠運転中に前記開閉検知手段が開状態を検知した場合、前記表示手段に表示した第１の運転終了画面を消去する請求項１記載の洗濯乾燥システム。
【請求項６】
洗濯乾燥装置は予約運転終了時刻と予約運転内容を設定可能な予約設定手段を備え、情報端末装置は、前記予約設定手段に基づき前記洗濯乾燥装置が予約運転を開始し、かつ、予約運転終了時刻より早く乾燥が終了した場合は、前記表示手段に第１の運転終了画面を表示しない請求項１記載の洗濯乾燥システム。
【請求項７】
情報端末装置は、予約設定手段に基づき洗濯乾燥装置が予約運転を開始し、かつ、予約運転終了時刻より早く乾燥が終了した場合、予約運転終了時刻に、前記表示手段にて第１の運転終了画面を表示する請求項６記載の洗濯乾燥システム。
【請求項８】
情報端末装置は、洗濯乾燥装置の乾燥終了後に行う間欠運転を終えた時点で、表示手段に第２の運転終了画面を表示する請求項１記載の洗濯乾燥システム。
【請求項９】
情報端末装置は、表示手段にて第２の運転終了画面を表示する場合、音声出力手段から第２の確認音を吹鳴するようにした請求項８記載の洗濯乾燥システム。
【請求項１０】
情報端末装置は、表示手段にて第２の運転終了画面を表示する場合、予め前記表示手段に表示した第１の運転終了画面を消去する請求項８記載の洗濯乾燥システム。
【請求項１１】
情報端末装置は、入力手段による所定の入力にて第１の運転終了画面を消去した場合、洗濯乾燥装置の乾燥終了後に行う間欠運転を終えた時点で、前記表示手段に第２の運転終了画面を表示しない請求項３記載の洗濯乾燥システム。
【請求項１２】
請求項１〜１１のいずれか１項記載の洗濯乾燥システムの少なくとも一つの機能をコンピュータで実現するためのプログラム。
【発明の詳細な説明】
【０００１】
【発明の属する技術分野】
本発明は、洗濯乾燥機をネットワーク接続された情報端末装置より機器状態を確認する洗濯乾燥システムに関するものである。
【０００２】
【従来の技術】
近年、通信回線を利用して（予めサービス契約をしている企業の）センターサーバーとの間で、宅内機器の状態データをセンターサーバーに送信し、センターサーバーから宅内機器の拡張機能用データをダウンロードし、一方、宅内機器との間で、宅内機器から機器状態データを受信して閲覧し、宅内機器へ機器制御データを送信して機器の電源入り切りなど機器制御を行う情報端末装置が普及し始めている（例えば特許文献１参照）。
【０００３】
さらに、最近では、情報端末装置と（本発明の宅内機器である）洗濯乾燥装置からなる洗濯乾燥システムにおいて、洗濯乾燥装置の運転コース終了時や機器の異常発生時に情報端末装置による報知機能を備える構成も提案されており（例えば特許文献２参照）、以下、その構成について説明する。
【０００４】
図１７は従来この種の洗濯乾燥システムのシステムブロック図であり、１は洗濯乾燥装置、２は情報端末装置である。これら洗濯乾燥装置１と情報端末装置２との間は、後述する無線による通信手段によって通信が行われる。
【０００５】
図１８は洗濯乾燥装置１の縦断面図である。図に示すように、筐体３は、内部に、複数のサスペンション４によって外槽５を弾性的に吊支し、運転時の振動をサスペンション４によって吸収する構成としている。外槽６の内部には、回転中心軸を鉛直方向に有し洗濯物および乾燥対象物（以下、衣類という）を収容する内槽６を回転自在に支持し、内槽６の内底部に衣類を攪拌する回転翼７を回転自在に設けている。回転翼７は、外周が傾斜面形状の鍋型に形成している。
【０００６】
内槽６の内部周壁には多数の小孔（図示せず）を設け、その上方には流体バランサ８を設けている。そして、外槽５および内槽６の底部中心付近には、中空で二軸構造をしている洗濯・脱水軸９と、洗濯または脱水時により回転力の伝達を洗濯・脱水軸９に切り換えるクラッチ１０を設けている。モータ（駆動手段）１１は、外槽５に設け、クラッチ１０を介して内槽６または回転翼７を駆動するようにしている。
【０００７】
外槽５の下部から、伸縮自在の下部蛇腹状ホース１２を介して循環ダクト１３へと通路を構成し、循環ダクト１３の出口は乾燥用送風機（送風手段）１４の入口に連結している。乾燥用送風機１４の出口は通路１３ａに連結し、この通路１３ａ内に加熱手段であるヒータ１５を設け、通路１３ａに伸縮自在の上部蛇腹状ホース１６を連結している。上部蛇腹ホース１６は、内槽６へ向けて開口しており、内槽６は、内部周壁の小孔を通して外槽５に通じているので、これら通路は循環する経路を構成している。
【０００８】
内槽６の上部には開閉自在の内蓋１７を設けており、開閉検知手段１８は内蓋１７の開閉状態を常に把握している。また、内蓋１７の近傍には、伸縮自在の上部蛇腹状ホース１６からつづく温風噴出孔１９を開けている。冷却用送風機（冷却送風手段）２０は、筐体３の側面に取り付け、筐体３の内部に外気を導入できるように構成している。排水弁２１は外槽５内の水を排水するものであり、切換弁２２は循環路を切り換えるものである。
【０００９】
給水弁２３は内槽６内に給水するものであり、水位検知手段２４は外槽５内の水位を検知するものである。
【００１０】
洗濯乾燥制御手段２５は、マイクロコンピュータなどで構成し、水位検知手段２４、開閉検知手段１８の出力を入力し、操作部（入力設定手段）２６により設定された設定内容に基づき、クラッチ１０、モータ１１、乾燥用送風機１４、ヒータ１５、冷却用送風機２０、排水弁２１、切換弁２２、給水弁２３などの動作を制御して洗濯および乾燥行程を制御する。
【００１１】
図１９は洗濯乾燥装置１の内部ブロック図である。２７は予約設定手段で操作部（入力設定手段）２６により所定の時間後に洗濯および乾燥行程を終えるように予約運転を設定するものである。２８ａはデータ通信手段で洗濯乾燥制御手段２５が把握している洗濯機乾燥装置２の運転状態および機器制御に関するデータを情報端末装置２との間で無線にて送受信するものである。なお、洗濯乾燥制御手段２５は、クラッチ１０、モータ１１、乾燥用送風機１４、ヒータ１５、冷却用送風機２０、排水弁２１、切換弁２２、給水弁２３などの外部負荷を制御するが図への表記を省略する。
【００１２】
図２０は情報端末装置２の内部ブロック図、図２１は情報端末装置２の正面図、図２２は後述する表示手段（液晶画面）に表示する画面内容の一例である。２９はカラー画像も表示可能な液晶画面（表示手段）、３０は表示手段２９の画面上に設けた透明フィルム状のタッチパネル（入力手段）であり、図２２に示すように、例えば表示手段２９にて表示した表示内容２９ａにて、使用者が「スタートボタン（画像）」２９ｂまたは「電源切りボタン（画像）」２９ｃを押下した場合、画面上に設けられたタッチパネル（入力手段）３０は（あたかも）各々のボタンを押下したかように出力を行う。３１はスピーカ（音声出力手段）であり確認音や警告音などのブザー音を吹鳴するものである。３２は情報端末装置２の制御手段であり入力手段３０からの出力を入力し、データ通信手段２８ｂにて洗濯乾燥装置２から（アンテナ部２８ｃを経由して）受け取った洗濯乾燥装置２の運転状態を表示手段２９にて表示し、音声出力手段３１にてブザー音を吹鳴させる。
【００１３】
上記構成において動作を説明する。
【００１４】
まず、洗い行程、すすぎ行程、脱水行程の３つの行程からなる洗濯行程、乾燥行程、および乾燥終了時の間欠運転について、図１８を参照しながら説明する。内槽６に衣類３３、洗剤などを投入して操作部２６にて運転を開始すると、洗い行程では、制御装置２５により給水弁２３を駆動し、水位検知手段２４により検知した水位が所定の水位になるまで給水し、モータ１１を駆動して回転翼７を動作させ衣類３３を洗浄する。このとき、排水弁２１と切換弁２２は閉じている。
【００１５】
その後、排水弁２１を開いて排水し、再度給水し洗い行程と同様にして衣類を濯ぐすすぎ行程を経て、脱水行程では、衣類３３が入った内槽６を高速で回転させることによって生じる遠心力により、衣類３３が内槽６の内壁に押しつけられることになり、この遠心力で水分が衣類３３から分離されて脱水される。
【００１６】
洗濯行程を終え衣類３３を乾燥する乾燥行程では、切換弁２２を開いた状態で、乾燥用送風機１４の送風とヒータ１５の発熱により、上部蛇腹状ホース１６、温風噴出孔１９を通して内槽６へ乾いた温風が送り込まれる。
【００１７】
このとき、衣類３３は、回転翼７の左右回転により跳ね上げられたり、その後落下したりしている状態であり、内槽６へ送り込まれた温風は、これら衣類の動きの隙間を通るときに衣類から水分を奪い、湿った状態で、内槽６から外槽５の内側へと出た後、下部蛇腹状ホース１２を通過し、切換弁２２を通過して循環ダクト１３へ至る。この流れを、図では矢線で示している。
【００１８】
湿気を含んだ温風が、外槽５の内壁や循環ダクト１３内を通過しているとき、冷却用送風機２０による外部空気の流入で、外槽５や循環ダクト１３の外壁は冷却されることになり、湿った空気の水分はその内壁に結露し、湿った温風は除湿されて、乾燥用送風機１４へと戻る。外槽５の内壁に結露した水分は、切換弁２２を通過して、循環ダクト１３の内壁に結露した水分とともに排水口３４より適宜排出される。
【００１９】
乾燥行程を終えると内蓋１７および外蓋を開くことにより乾いた衣類３３は取り出し可能であり、基本的にモータ１１、乾燥用送風機１４、ヒータ１５などの外部負荷は動作させず、洗濯乾燥装置１は見た目には全ての運転コースを終えたように見えるが、その後も１０分毎に１秒程度だけ回転翼７を動作させる「乾燥終了後の間欠運転（以下、ふんわりキープ行程と言う）」を２時間程度行い全ての運転コースを終了する。つまり、乾燥行程終了後に使用者が衣類３３を取り出さない場合、内槽６底部に放置された衣類３３は自らの重量により衣類シワが発生するところを、ふんわりキープ行程を行うことにより衣類３３を捌くことで衣類シワを軽減すると言うものである。
【００２０】
次に、洗濯乾燥装置１の機器状態を情報端末装置２にて確認する機器状態モニター機能について、図１９から図２５を参照しながら説明する。
【００２１】
図１９において、洗濯乾燥制御手段２５は洗濯乾燥装置１の洗い行程、すすぎ行程、脱水行程、乾燥行程、ふんわりキープ行程の設定内容（例えば、洗い行程であれば洗い時間など）、予約設定手段２７の予約設定内容、および、開閉検知手段１８にて内蓋１７の開閉状態を常に把握しており、これらの設定内容に応じてモータ１１、ヒータ１５、給水弁２３を逐次制御する。一方で、洗濯乾燥制御手段２５は、これらの設定内容や現在進行中の行程、電源入り切りの状態など洗濯機乾燥装置１の運転状態に関するデータをデータ送信手段２８ａに出力し、データ送信手段２８ａは情報端末装置２のデータ送信手段２８ｂに対して（無線による）データ信号を出力する。
【００２２】
図２０において、情報端末装置２の制御手段３２はデータ送信手段２８ｂを介して洗濯乾燥装置１から運転状態に関するデータを受け取ることにより、常に洗濯乾燥装置１の運転状態を把握することが可能となり、表示手段２９に洗濯乾燥装置１の運転状態を表示する。
【００２３】
ここで、表示手段２９に表示する洗濯乾燥装置１の運転状態（特に行程表示）について、図２２から図２５を参照しながら説明するが、図２３のフローチャートに示すように、情報端末装置２の制御手段３２は洗濯乾燥装置１が運転コースを開始したことを知ると、Ｓ１にて運転コースに設定されている行程内容（この場合であれば）洗い行程、すすぎ行程、脱水行程、乾燥行程、ふんわりキープ行程の各々に一対一対応した行程マーク画像（表示手段２９に図２２）の２９ｄ〜２９ｈを表示し、Ｓ２にて洗い行程を終えた事を検知すると、Ｓ３にて洗い行程を示すマーク画像２９ｄを消去し、以下、Ｓ４〜Ｓ１１にて、すすぎ行程、脱水行程、乾燥行程、ふんわりキープ行程を終えた時点で、終了した行程に相当するマーク画像を消去し、（最後の行程である）ふんわりキープ行程を終えて全ての運転コース内容を終了した時点で、Ｓ１２にて（表示手段２９に図２４の）運転終了画面２９ｉをポップアップ（割り込み）表示する。ここで、ポップアップ（割り込み）表示について説明するが、図２５に示すように、近年の表示手段２９は（制御手段３２の出力設定により）通常の表示内容２９ａ（この場合は、洗濯乾燥装置１の運転状態の表示）に上書きせず覆い被さるように運転終了画面２９ｉを割り込み表示させることが可能であり、この割り込み表示の方法を一般的にポップアップ表示と呼んでいる。ポップアップ（割り込み）による表示は、洗濯乾燥装置１の運転コースの終了時や、洗濯乾燥装置１にて給水異常や排水異常などの異常が発生した場合など突発して発生した事象を使用者に知らしめる場合に用いられ、ポップアップ（割り込み）表示した画面（この場合は運転終了画面）２９ｉは、同じ画面上に設けられた（この場合）「確認（画像）」２９ｊを押下した場合、（画面上に設けられたタッチパネル（入力手段）３０を介して）割り込み表示した画面２９ｉは消去され、その下に隠れていた通常の表示画面２９ａが表示される。
【００２４】
【特許文献１】
特開２００３−４７０７４号公報
【特許文献２】
特開２００２−１８６０５７号公報
【００２５】
【発明が解決しようとする課題】
しかしながら、前記従来の構成では、洗濯乾燥装置１にて、洗い行程、すすぎ行程、脱水行程、乾燥行程、そして衣類シワ軽減のために行う乾燥終了後の間欠運転（ふんわりキープ行程）からなる運転コースを開始した場合、情報端末装置２にて運転終了を報知するタイミングは運転コース終了時（乾燥終了後の間欠運転を終えた時点）であり、実際には乾燥行程終了時に衣類３３は乾いていて内槽６より取り出し可能にも関わらず、情報端末装置２を用いて使用者に衣類３３の取り出しを知らせる方法がないため、乾燥行程終了後に使用者が衣類３３を取り出さない場合、（洗濯乾燥装置１は乾燥終了後の間欠運転を行うものの）衣類３３は内槽６底部に放置されることから自らの重量により衣類シワが発生すると言う課題を有していた。
【００２６】
本発明は、上記従来の課題を解決するもので、洗濯乾燥装置１にて、乾燥行程および（衣類シワ軽減のために行う）乾燥終了後の間欠運転（ふんわりキープ行程）を運転する場合、乾燥行程が終了した時点で、情報端末装置２により、衣類３３の乾燥が終了した（故に内槽６から取り出し可能である）旨を報知する洗濯乾燥システムを提供することを目的とする。
【００２７】
【課題を解決するための手段】
前記従来の課題を解決するために、本発明の洗濯乾燥システムは、洗濯から乾燥および乾燥終了後の間欠運転までを逐次制御する洗濯乾燥装置および情報端末装置と、前記洗濯乾燥装置および前記情報端末装置との間で前記洗濯機乾燥装置の運転状態および機器制御に関するデータを送信または受信するデータ通信手段と、前記情報端末装置にて前記洗濯乾燥装置の運転状態などを表示する表示手段を備え、前記情報端末装置は、前記洗濯乾燥装置の乾燥終了時に、前記表示手段に第１の運転終了画面を表示するようにしたものである。
【００２８】
これにより、洗濯乾燥装置１にて、乾燥行程および（衣類シワ軽減のために行う）乾燥終了後の間欠運転（ふんわりキープ行程）を運転する場合、乾燥行程が終了した時点で、情報端末装置２により、衣類３３の乾燥を終えた旨を報知可能となるものである（ひいては、使用者が内槽６より衣類３３を速やかに取り出すことが期待できるため、乾燥終了後に発生する衣類シワの軽減につながる）。
【００２９】
【発明の実施の形態】
請求項１に記載の発明は、洗濯から乾燥および乾燥終了後の間欠運転までを逐次制御する洗濯乾燥装置および情報端末装置と、前記洗濯乾燥装置および前記情報端末装置との間で前記洗濯機乾燥装置の運転状態および機器制御に関するデータを送信または受信するデータ通信手段と、前記情報端末装置にて前記洗濯乾燥装置の運転状態などを表示する表示手段を備え、前記情報端末装置は、前記洗濯乾燥装置の乾燥終了時に、前記表示手段に第１の運転終了画面を表示するようにしたものであり、これにより、洗濯乾燥装置にて、乾燥行程および（衣類シワ軽減のために行う）乾燥終了後の間欠運転（ふんわりキープ行程）を運転する場合、乾燥行程が終了した時点で、情報端末装置により、衣類の乾燥を終えた旨を報知可能となるものであり、ひいては、使用者が内槽より衣類を速やかに取り出すことが期待できるため、乾燥終了後に発生する衣類シワの軽減につながるものである。
【００３０】
請求項２に記載の発明は、請求項１に記載の洗濯乾燥システムにて、情報端末装置は音声またはブザー音を出力する音声出力手段を備え、前記情報端末装置は、前記表示手段にて第１の運転終了画面を表示する場合、前記音声出力手段から第１の確認音を吹鳴するようにしたものであり、これにより、使用者は画面を注視し続けることなく洗濯乾燥装置が乾燥行程を終えたことを容易に知ることが可能となるものである。
【００３１】
請求項３に記載の発明は、請求項１に記載の洗濯乾燥システムにて、情報端末装置は使用者が洗濯時間や好みの運転内容を入力する入力手段を備え、前記情報端末装置は、前記入力手段により所定の入力を行った場合、前記表示手段に表示した第１の運転終了画面を消去するようにしたものであり、これにより、使用者が情報端末装置にて（例えば、明日の天気予報を確認しているなど）各種情報閲覧や（例えば、洗濯乾燥装置以外にもエアコンなどの宅内機器を接続して）各種宅内機器の制御を行っている最中に、第１の運転終了画面がポップアップ（割り込み）表示された場合においても、第１の運転終了画面にて「確認」ボタンを押下するなど所定の操作を行うことにより（第１の運転終了画面を消去させ）以前に表示していた各種情報画面や宅内機器の制御画面の表示に速やかに戻すことが可能となるものである。
【００３２】
請求項４に記載の発明は、請求項１に記載の洗濯乾燥システムにて、洗濯乾燥装置は使用者の操作により電源入り切り可能な操作部を備え、前記情報端末装置は、前記洗濯乾燥装置において乾燥終了後の間欠運転中に前記操作部により前記洗濯乾燥装置の電源を切状態にした場合、前記表示手段に表示した第１の運転終了画面を消去するようにしたものであり、これにより、乾燥行程終了後に使用者が洗濯乾燥装置の操作部により電源を切った場合、つまり、意識を持って運転コースを取りやめた場合、既に情報端末装置の表示手段に表示している第１の運転終了画面は（使用者に乾燥行程を終えたので洗濯乾燥装置を確認して欲しいと言う）表示の役目を終えるため、使用者が情報端末装置にて特定の操作を行うことなく自動的に第１の運転終了画面を消去することによって利便性を高めることが可能となるものである。
【００３３】
請求項５に記載の発明は、請求項１に記載の洗濯乾燥システムにて、洗濯乾燥装置は洗濯または乾燥させる衣類を取り出し可能な開口部を開閉する蓋体と、前記蓋体の開閉を検知する開閉検知手段とを備え、前記情報端末装置は、前記洗濯乾燥装置において乾燥終了後の間欠運転中に前記開閉検知手段が開状態を検知した場合、前記表示手段に表示した第１の運転終了画面を消去するようにしたものであり、これにより、乾燥行程終了後に使用者が洗濯乾燥装置の蓋体を開いた場合、使用者が乾燥を終えた衣類を内槽より取り出したと考えられるため、既に情報端末装置の表示手段に表示している第１の運転終了画面は（使用者に乾燥行程を終えた衣類を取り出して欲しい言う）表示の役目を終えるため、使用者が情報端末装置にて特定の操作を行うことなく自動的に第１の運転終了画面を消去することによって利便性を高めることが可能となるものである。
【００３４】
請求項６に記載の発明は、請求項１に記載の洗濯乾燥システムにて、洗濯乾燥装置は予約運転終了時刻と予約運転内容を設定可能な予約設定手段を備え、前記情報端末装置は、前記予約設定手段に基づき前記洗濯乾燥装置が予約運転を開始し、かつ、予約運転終了時刻より早く乾燥が終了した場合、前記表示手段に第１の運転終了画面を表示しないようにしたものであり、これにより、（衣類の乾きやすさの違いによって）使用者が設定した予約運転の終了時刻より早めに乾燥行程を終えた場合、その時点では第１の運転終了画面を表示させないため、予約運転の終了時刻に衣類の取り出しを期待する使用者に対して無用な混乱を避けるものである。
【００３５】
請求項７に記載の発明は、請求項６に記載の洗濯乾燥システムにて、情報端末装置は、前記予約設定手段に基づき前記洗濯乾燥装置が予約運転を開始し、かつ、予約運転終了時刻より早く乾燥が終了した場合、予約運転終了時刻に、前記表示手段にて第１の運転終了画面を表示するようにしたものであり、これにより、衣類の乾きやすさの違いにより乾燥行程に要する時間のバラツキが大きい場合にも、使用者が設定した予約運転の終了時刻にあわせて衣類の取り出しを報知可能とするものである。
【００３６】
請求項８に記載の発明は、請求項１に記載の洗濯乾燥システムにて、情報端末装置は、前記洗濯乾燥装置の乾燥終了後に行う間欠運転を終えた時点で、前記表示手段に第２の運転終了画面を表示するようにしたものであり、これにより、乾燥終了後の間欠運転（ふんわりキープ行程）を終えても衣類の取り出しを忘れている使用者に対して速やかに衣類の取り出す旨の報知を可能とするものであり、運転コース終了後に発生する衣類シワの軽減につながるものである。
【００３７】
請求項９に記載の発明は、請求項８に記載の洗濯乾燥システムにて、情報端末装置は、前記表示手段にて第２の運転終了画面を表示する場合、前記音声出力手段から第２の確認音を吹鳴するようにしたものであり、これにより、使用者は画面を注視し続けることなく洗濯乾燥装置が全ての運転コースを終えたことを容易に知ることが可能となるだけでなく、第２の確認音は第１の確認音と異なるため速やかな衣類の取り出しを喚起することが可能となるものである。
【００３８】
請求項１０に記載の発明は、請求項８に記載の洗濯乾燥システムにて、情報端末装置は、前記表示手段にて第２の運転終了画面を表示する場合、予め前記表示手段に表示した第１の運転終了画面を消去するようにしたものであり、これにより、使用者が（全ての運転コースを終了したので衣類を速やかに取り出して欲しいと言う表示内容である）第２の運転終了画面を確認後に消去した場合、その下に隠れて存在する第１の運転終了画面は（使用者に乾燥行程を終えた衣類を取り出して欲しい言う）表示の役目を既に終えているため、使用者が情報端末装置にて特定の操作を行うことなく自動的に第１の運転終了画面を消去することによって利便性を高めることが可能となるものである。
【００３９】
請求項１１に記載の発明は、請求項３に記載の洗濯乾燥システムにて、情報端末装置は、前記入力手段による所定の入力にて前記第１の運転終了画面を消去した場合、前記洗濯乾燥装置の乾燥終了後に行う間欠運転を終えた時点で、前記表示手段に第２の運転終了画面を表示しないようにしたものであり、これにより、使用者が意志を持って第１の運転終了画面を消去した場合、使用者は乾燥行程を終えた衣類が取り出し可能な状態にあることを認識していると考えられるため、仮に、使用者が内槽より衣類を取り出すことなく乾燥終了後の間欠運転を終えたとしても（ハンカチ数枚などを乾燥するなど衣類の容量が少なく自重による衣類シワの発生が考えにくい、あるいは、ジャージのように衣類シワの発生しにくいものを乾燥しているなど個別の事情を知っている使用者に対して）、あえてしつこく第２の運転終了画面を表示しないことにより利便性を高めることを可能とするものである。
【００４０】
請求項１２に記載の発明は、請求項１〜１１のいずれかに記載の洗濯乾燥システムの少なくとも一つの機能をコンピュータに実行させるためのプログラムである。この構成によれば、洗濯乾燥システムは、洗濯乾燥装置にて、乾燥行程および乾燥終了後の間欠運転（ふんわりキープ行程）を運転する場合、乾燥行程が終了した時点で、情報端末装置により、衣類の乾燥を終えた旨を報知することが可能になるものである。また、プログラムであるのでマイコンやパソコン、携帯情報端末装置などを用いて本発明の洗濯乾燥システムの一部あるいは全てを容易に実現することができる。また記録媒体に記録したり通信回線を用いてプログラムを配信したりすることでプログラムの配布が簡単にできる。
【００４１】
【実施例】
以下、本発明の実施例について、図１〜１６を参照しながら説明する。なお、上記従来例と同じ構成のものは同一符号を付して説明を省略する。
【００４２】
（実施例１）
図１は本実施例１の洗濯乾燥システムのシステムブロック図、図２は情報端末装置の内部ブロック図、図３は情報端末装置における制御手段の要部動作を示すフロ−チャ−トである。なお、情報端末装置３５、制御手段３６と表記している以外は従来例と同じ構成である。
【００４３】
以上のように構成された洗濯乾燥システムについて、以下その動作、作用を説明する。
【００４４】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを開始した場合、図２に示すように、情報端末装置２の制御手段３６はデータ送信手段２８ｂを介して洗濯乾燥装置１の運転状態を常に把握しており現在進行中の運転内容を表示手段２９にて表示する。
【００４５】
具体的には、制御手段３６は、図３のフローチャートに示すように、Ｓ１からＳ９にて（従来例と同様に）洗濯乾燥装置１の運転コースが洗い行程、すすぎ行程、脱水行程、乾燥行程の各行程を終える毎に（図示はしないが）各々の行程に対応した行程に相当するマーク画像（図２２の２９ｄ〜２９ｇ）を消去し、この乾燥行程を終了した時点で、Ｓ１３にて、図４に示した第１の運転終了画面２９ｋをポップアップ（割り込み）表示させる。
【００４６】
以上のように、本実施例では、洗濯乾燥装置１にて、乾燥行程および（衣類シワ軽減のために行う）乾燥終了後の間欠運転（ふんわりキープ行程）を運転した場合、乾燥行程が終了した時点で、情報端末装置３５の表示手段２９により衣類の乾燥を終えた旨を表示にすることにより、使用者は衣類が乾燥して洗濯乾燥装置１より取り出し可能な時点でこれを知ることが可能となり（その後、使用者が内槽より衣類を速やかに取り出すことが期待できるため）乾燥終了後に発生する衣類シワの軽減につながる。
【００４７】
なお、本実施例では、データ送信手段２８ａおよび２８ｂは、洗濯乾燥装置１と情報端末装置２との間で運転状態や制御データを双方向にて送受信するように示したが、洗濯乾燥装置１の運転状態のデータを情報端末装置２に対して送信する片方向の通信形態をとっても構わない。
【００４８】
また、本実施例では通信媒体として無線を用いているが、専用線による有線通信、電灯線搬送通信、赤外線通信、光ファイバ通信など、いずれの通信媒体を用いても同様の効果を有するものである。
【００４９】
（実施例２）
図５は、本実施例２の情報端末装置３５における制御手段３６の要部動作を示すフロ−チャ−トである。なお、情報端末装置の内部ブロック図は実施例１と同じ構成である。
【００５０】
以上のように構成された洗濯乾燥システムについて、以下その動作、作用を説明する。
【００５１】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを開始した場合、制御手段３６は、図５のフローチャートに示すように、（Ｓ１からＳ９の説明は省略するが）乾燥行程を終了した時点で、Ｓ１３にて、表示手段２９に図４に示した第１の運転終了画面２９ｋをポップアップ（割り込み）表示させ、Ｓ１４にて音声出力手段３１に「ピンポン」と言う第１の確認音を出力する。
【００５２】
以上のように、本実施例では、洗濯乾燥装置１にて、乾燥行程および（衣類シワ軽減のために行う）乾燥終了後の間欠運転（ふんわりキープ行程）を運転した場合、乾燥行程が終了した時点で、情報端末装置３５の表示手段２９により衣類の乾燥を終えた旨を表示するのにあわせて第１の確認音を鳴らすことにより、使用者は画面を注視し続けることなく洗濯乾燥装置が乾燥行程を終えたことを容易に知ることができる。
【００５３】
なお、本実施例では、第１の確認音を具体的に示したが、これは本発明を限定するものではなく、音声合成により乾燥終了をアナウンスしても構わない。
【００５４】
（実施例３）
図６は、本実施例３の情報端末装置３５における制御手段３６の要部動作を示すフロ−チャ−トである。なお、情報端末装置の内部ブロック図は実施例１と同じ構成である。
【００５５】
以上のように構成された洗濯乾燥システムについて、以下その動作、作用を説明する。
【００５６】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを開始した場合、制御手段３６は、図６のフローチャートに示すように、（Ｓ１からＳ９の説明は省略するが）乾燥行程を終了した時点で、Ｓ１３にて、表示手段２９に図４に示した第１の運転終了画面２９ｋをポップアップ（割り込み）表示させ、Ｓ１４にて音声出力手段３１に第１の確認音を出力するが、Ｓ１５にて、使用者は第１の運転終了画面２９ｋと同じ画面に設けられた（この場合）「確認（画像）」２９Ｌを押下した場合、Ｓ１６にて、（画面上に設けられたタッチパネル（入力手段）３０を介して）割り込み表示した画面２９ｋを消去する（そして、第１の終了報知画面２９ｋの下に隠れていた通常の表示画面が表示される。）。
【００５７】
以上のように、本実施例では、洗濯乾燥装置１にて、乾燥行程および（衣類シワ軽減のために行う）乾燥終了後の間欠運転（ふんわりキープ行程）を運転した場合、乾燥行程が終了した時点で表示する第１の運転終了画面を所定の操作（同じ画面上の「確認」ボタンを押下）することにより、例えば、使用者が情報端末装置にて（インターネット経由で明日の天気予報を確認しているなど）各種情報閲覧や、また、（洗濯乾燥装置以外にもエアコンなどの宅内機器を接続して）各種宅内機器の制御を行っている最中に、第１の運転終了画面がポップアップ（割り込み）表示された場合においても、第１の運転終了画面にて「確認」ボタンを押下するなど所定の操作を行うことにより（第１の運転終了画面を消去させ）以前に表示していた各種情報画面や宅内機器の制御画面の表示に速やかに戻すことができる。
【００５８】
（実施例４）
図７は、本実施例４の情報端末装置３５における制御手段３６の要部動作を示すフロ−チャ−トである。なお、情報端末装置の内部ブロック図は実施例１と同じ構成である。
【００５９】
以上のように構成された洗濯乾燥システムについて、以下その動作、作用を説明する。
【００６０】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを開始した場合、制御手段３６は、図７のフローチャートに示すように、（Ｓ１からＳ９の説明は省略するが）乾燥行程を終了した時点で、Ｓ１３にて、表示手段２９に図４に示した第１の運転終了画面２９ｋをポップアップ（割り込み）表示させ、Ｓ１４にて音声出力手段３１に第１の確認音を出力するが、使用者が第１の確認音を聞いただけで、あるいは、表示手段２９に表示した第１の運転終了画面２９ｋを見ただけで（第１の運転終了画面にて「確認」ボタン２９Ｌを押下することなく）洗濯乾燥装置１（機器側）の電源を切った場合、制御手段３６は、Ｓ１７にて、洗濯乾燥装置１（機器側）の電源がオフになったことを検知し、Ｓ１６にて、第１の終了画面２９ｋを消去する。
【００６１】
以上のように、本実施例では、乾燥行程終了後に使用者が洗濯乾燥装置１の操作部により電源を切った場合、つまり、意識を持って運転コースを取りやめた場合、既に情報端末装置の表示手段に表示している第１の運転終了画面２９ｋは（使用者に乾燥行程を終えたので洗濯乾燥装置を確認して欲しいと言う）表示の役目を終えるため、使用者が情報端末装置１にて特定の操作を行うことなく自動的に第１の運転終了画面を消去することによって利便性を高めることができる。
【００６２】
（実施例５）
図８は、本実施例５の情報端末装置３５における制御手段３６の要部動作を示すフロ−チャ−トである。なお、情報端末装置の内部ブロック図は実施例１と同じ構成である。
【００６３】
以上のように構成された洗濯乾燥システムについて、以下その動作、作用を説明する。
【００６４】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを開始した場合、制御手段３６は、図８のフローチャートに示すように、（Ｓ１からＳ９の説明は省略するが）乾燥行程を終了した時点で、Ｓ１３にて、表示手段２９に図４に示した第１の運転終了画面２９ｋをポップアップ（割り込み）表示させ、Ｓ１４にて音声出力手段３１に第１の確認音を出力するが、使用者が第１の確認音を聞いただけで、あるいは、表示手段２９に表示した第１の運転終了画面２９ｋを見ただけで（第１の運転終了画面にて「確認」ボタン２９Ｌを押下することなく）洗濯乾燥装置１（機器側）の蓋体１７を開けた場合、制御手段３６は、Ｓ１８にて、洗濯乾燥装置１（機器側）の開閉検知手段１８により蓋体１７の開閉状態をデータ通信手段２８ａおよび２８ｂを介して蓋体１７が開いたことを検知し、Ｓ１６にて、第１の終了画面２９ｋを消去する。
【００６５】
以上のように、本実施例では、乾燥行程終了後に使用者が洗濯乾燥装置の蓋体１７を開いた場合、使用者が乾燥を終えた衣類を内槽より取り出したと考えて、既に情報端末装置１の表示手段２９に表示している第１の運転終了画面２９ｋは（使用者に乾燥行程を終えた衣類を取り出して欲しい言う）表示の役目を終えるため、使用者が情報端末装置にて特定の操作を行うことなく自動的に第１の運転終了画面を消去することによって利便性を高めることができる。
【００６６】
（実施例６）
図９は、本実施例６の情報端末装置３５における制御手段３６の要部動作を示すフロ−チャ−トである。なお、情報端末装置の内部ブロック図は実施例１と同じ構成である。
【００６７】
以上のように構成された洗濯乾燥システムについて、以下その動作、作用を説明する。
【００６８】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを設定し、かつ、運転コースを現在時刻から何時間後（あるいは明日の何時何分）に終了するよう予約運転終了時刻（以下、予約終了時刻と言う）を設定してスタートした場合、制御手段３６は、運転コースに要するシーケンス時間（例えば５時間）と衣類の乾きやすさのバラツキを考慮したマージンの時間（例えば１時間）を予約終了時刻より逆算した時刻（この場合であれば、予約終了時刻から６時間を逆算した時刻）まで待機した後に、運転コースを開始し、制御手段３６は、図９のフローチャートに示すように、（Ｓ１からＳ９の説明は省略するが）乾燥行程を終了した時点で、Ｓ１９にて、現在の時刻が使用者の設定した予約運転終了時刻以前であると判断した場合には、表示手段２９に第１の運転終了画面を表示させない。
【００６９】
以上のように、本実施例では、（衣類の乾きやすさの違いによって）使用者が設定した予約運転の終了時刻より早めに衣類が乾いた（乾燥行程を終えた）場合、その時点では第１の運転終了画面を表示させないため、予約運転の終了時刻に衣類の取り出しを行おうとしている使用者に対して無用な混乱を防止できる。
【００７０】
ここで使用者の予約運転に対する使い勝手について若干補足をするが、予約運転をせずに運転コースを開始する場合、例えば、洗い行程、すすぎ行程、脱水行程を設定して運転を開始した場合には、使用者は運転コースを少しでも早く終えることを期待する。これは、早く脱水を終えた衣類を干したいと言う使用者の潜在的な欲求から来るものであるが、一方で、予約運転を設定した場合、例えば「朝７時に脱水を終えた衣類を干したい」など毎日の生活シーンの中で絶対時刻（この場合であれば毎日、朝７時と言う時刻）を決めて慣習化した家事労働（この場合であれば、洗濯物を干す家事）を行いたいと言う要望が多く、つまり、予約運転においては予約終了時刻とおりに運転コースを終えることが重要な要素となるわけである（簡単に言えば、仮に、予約終了時刻を朝方７時に設定したものの運転コースが予定より早く終了したからと言って、早朝５時台に運転終了のブザーが吹鳴してしまうと使用者が寝不足に陥るばかりでなく、集合住宅においては近所迷惑になりかねないと言うわけである。）。
【００７１】
（実施例７）
図１０は、本実施例７の情報端末装置３５における制御手段３６の要部動作を示すフロ−チャ−トである。なお、情報端末装置の内部ブロック図は実施例１と同じ構成である。
【００７２】
以上のように構成された洗濯乾燥システムについて、以下その動作、作用を説明する。
【００７３】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを設定し、かつ、運転コースを現在時刻から何時間後（あるいは明日の何時何分）に終了するよう予約運転終了時刻（以下、予約終了時刻と言う）を設定してスタートした場合、制御手段３６は、運転コースに要するシーケンス時間と衣類の乾きやすさのバラツキを考慮したマージンの時間を予約終了時刻より逆算した時刻まで待機した後に、運転コースを開始し、制御手段３６は、図１０のフローチャートに示すように、（Ｓ１からＳ９の説明は省略するが）乾燥行程を終了した時点で、Ｓ１９にて、現在の時刻が使用者の設定した予約運転終了時刻以前であると判断した場合には、その時点では表示手段２９に第１の運転終了画面を表示させないが、Ｓ２０にて、第１の終了画面を表示させていない場合で、かつ、現在時刻が予約運転終了時刻になった場合に、Ｓ１３にて、表示手段２９に第１の運転終了画面を表示させる。
【００７４】
以上のように、本実施例では、衣類の乾きやすさの違いにより乾燥行程に要する時間のバラツキが大きい場合にも、使用者が設定した予約運転の終了時刻にあわせて衣類の取り出しの報知ができる。
【００７５】
（実施例８）
図１１は、本実施例８の情報端末装置３５における制御手段３６の要部動作を示すフロ−チャ−トである。なお、情報端末装置の内部ブロック図は実施例１と同じ構成である。
【００７６】
以上のように構成された洗濯乾燥システムについて、以下その動作、作用を説明する。
【００７７】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを開始した場合、制御手段３６は、図１１のフローチャートに示すように、（Ｓ１からＳ９の説明は省略するが）乾燥行程を終了した時点で、Ｓ１３にて、表示手段２９に図４に示した第１の運転終了画面２９ｋをポップアップ（割り込み）表示させ、Ｓ１４にて音声出力手段３１に第１の確認音を出力し、その後、Ｓ１０にて、乾燥終了後の間欠運転（ふんわりキープ行程）が終了したのを検知すると、Ｓ１１にて、表示手段２９に表示したふんわりキープ行程に相当するマーク画像（図２２のマーク２９ｈ）を消去し、Ｓ２１にて、図１２に示した第２の運転終了画面２９ｍをポップアップ（割り込み）表示させる。
【００７８】
以上のように、本実施例では、乾燥終了後に行う間欠運転を終えた時点で、表示手段２９に第１の運転終了画面に覆い被さるように第２の運転終了画面を表示するようにしたものであり、乾燥終了後の間欠運転（ふんわりキープ行程）を終えても衣類の取り出しを忘れている使用者に対して速やかに衣類の取り出す旨の表示でき、運転コース終了後に発生する衣類シワの軽減につながる。
【００７９】
（実施例９）
図１３は、本実施例９の情報端末装置３５における制御手段３６の要部動作を示すフロ−チャ−トである。なお、情報端末装置の内部ブロック図は実施例１と同じ構成である。
【００８０】
以上のように構成された洗濯乾燥システムについて、以下その動作、作用を説明する。
【００８１】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを開始した場合、制御手段３６は、図１３のフローチャートに示すように、（Ｓ１からＳ９の説明は省略するが）乾燥行程を終了した時点で、Ｓ１３にて、表示手段２９に図４に示した第１の運転終了画面２９ｋをポップアップ（割り込み）表示させ、Ｓ１４にて音声出力手段３１に「ピンポン」と言う第１の確認音を出力し、その後、Ｓ１０にて、乾燥終了後の間欠運転（ふんわりキープ行程）が終了したのを検知すると、Ｓ１１にて、表示手段２９に表示したふんわりキープ行程に相当するマーク画像（図２２のマーク２９ｈ）を消去し、Ｓ２１にて、図１２に示した第２の運転終了画面２９ｍをポップアップ（割り込み）表示させ、Ｓ２２にて音声出力手段３１に「ピッピッピッ」と言う第２の確認音を出力する。
【００８２】
以上のように、本実施例では、乾燥終了後に行う間欠運転を終えた時点で、表示手段２９に第２の運転終了画面を表示するのと同時に音声出力手段から第２の確認音を吹鳴するようにしたものであり、使用者は画面を注視し続けることなく洗濯乾燥装置が全ての運転コースを終えたことを容易に知ることが可能となるだけでなく、第２の確認音は第１の確認音と異なるため速やかな衣類の取り出しを喚起することができる。
【００８３】
なお、本実施例では、第２の確認音を具体的に示したが、これは本発明を限定するものではなく、音声合成により運転終了をアナウンスしても構わない。
【００８４】
（実施例１０）
図１４は、本実施例１０の情報端末装置３５における制御手段３６の要部動作を示すフロ−チャ−トである。なお、情報端末装置の内部ブロック図は実施例１と同じ構成である。
【００８５】
以上のように構成された洗濯乾燥システムについて、以下その動作、作用を説明する。
【００８６】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを開始した場合、制御手段３６は、図１４のフローチャートに示すように、（Ｓ１からＳ９の説明は省略するが）乾燥行程を終了した時点で、Ｓ１３にて、表示手段２９に第１の運転終了画面を表示させ、Ｓ１４にて音声出力手段３１に第１の確認音を出力し、その後、Ｓ１０にて、乾燥終了後の間欠運転（ふんわりキープ行程）が終了したのを検知すると、Ｓ１１にて、表示手段２９に表示したふんわりキープ行程に相当するマーク画像を消去し、Ｓ２１にて、図１２に示した第２の運転終了画面を表示させ、Ｓ２２にて音声出力手段３１に第２の確認音を出力し、Ｓ２３にて、第１の運転終了画面を消去する。
【００８７】
つまり、図１５に示したように、使用者が（全ての運転コースを終了したので衣類を速やかに取り出して欲しいと言う表示内容である）第２の運転終了画面２９ｍを確認後に「確認」ボタン２９ｎを押下して第２の運転終了画面２９ｍを消去した場合、その下に隠れて存在する第１の運転終了画面２９ｋは（使用者に乾燥行程を終えた衣類を取り出して欲しい言う）表示の役目を既に終えているため無用であり、これを自動的に消去しようというものである。
【００８８】
以上のように、本実施例では、乾燥終了後に行う間欠運転を終えた時点で、表示手段２９に第２の運転終了画面を表示するのと同時に（第２の運転終了画面の下に隠れた）第１の運転終了画面を消去したことにより使用者の利便性を高めることができる。
【００８９】
（実施例１１）
図１６は、本実施例１１の情報端末装置３５における制御手段３６の要部動作を示すフロ−チャ−トである。なお、情報端末装置の内部ブロック図は実施例１と同じ構成である。
【００９０】
以上のように構成された洗濯乾燥システムについて、以下その動作、作用を説明する。
【００９１】
使用者が（従来例と同様に）洗濯乾燥装置１にて、洗い行程、すすぎ行程、脱水行程、乾燥行程、そして衣類シワ軽減のために行う乾燥終了後の間欠運転（ふんわりキープ行程）からなる運転コースを開始した場合、制御手段３６は、図１６のフローチャートに示すように、（Ｓ１からＳ９の説明は省略するが）乾燥行程を終了した時点で、Ｓ１３にて、表示手段２９に（図４に示したように）第１の運転終了画面を表示２９ｋさせ、Ｓ１５にて、使用者は第１の運転終了画面２９ｋと同じ画面に設けられた「確認」ボタン２９Ｌを押下した場合、Ｓ１６にて第１の運転終了画面２９ｋを消去する（ここまでは実施例３と同様である）。
【００９２】
その後、Ｓ１０にて、乾燥終了後の間欠運転（ふんわりキープ行程）が終了したのを検知すると、Ｓ１１にて、表示手段２９に表示したふんわりキープ行程に相当するマーク画像を消去し、Ｓ２４にて、先述したＳ１５にて使用者が第１の運転終了画面を消去した場合、第２の運転終了画面を表示せず、一方、第１の運転終了画面を表示されたままの状態である場合、Ｓ２１にて表示手段２９に第２の運転終了画面を表示する。
【００９３】
以上のように、本実施例では、使用者が意志を持って第１の運転終了画面を消去した場合、使用者は乾燥行程を終えた衣類が取り出し可能な状態にあることを認識していると考えられるため、仮に、使用者が内槽より衣類を取り出すことなく乾燥終了後の間欠運転を終えたとしても（ハンカチ数枚などを乾燥するなど衣類の容量が少なく自重による衣類シワの発生が考えにくい、あるいは、ジャージのように衣類シワの発生しにくいものを乾燥しているなど個別の事情を知っている使用者に対して）、あえてしつこく第２の運転終了画面を表示しないことにより利便性を高めることできる。
【００９４】
なお、本実施例において情報端末は単なるリモコンであってもよい。また本発明はその情報端末やリモコンを制御するプログラムの形態であってもよい。
【００９５】
【発明の効果】
以上のように、本発明によれば、洗濯乾燥システムは、洗濯から乾燥および乾燥終了後の間欠運転までを逐次制御する洗濯乾燥装置および情報端末装置と、前記洗濯乾燥装置および前記情報端末装置との間で前記洗濯機乾燥装置の運転状態および機器制御に関するデータを送信または受信するデータ通信手段と、前記情報端末装置にて前記洗濯乾燥装置の運転状態などを表示する表示手段を備え、前記情報端末装置は、前記洗濯乾燥装置の乾燥終了時に、前記表示手段に第１の運転終了画面を表示するようにしたものであり、これにより、洗濯乾燥装置にて、乾燥行程および（衣類シワ軽減のために行う）乾燥終了後の間欠運転（ふんわりキープ行程）を運転する場合、乾燥行程が終了した時点で、情報端末装置により、衣類の乾燥を終えた旨を報知するため、使用者が内槽より衣類を速やかに取り出すことが可能となり、乾燥終了後に発生する衣類シワの軽減が期待できる。
【図面の簡単な説明】
【図１】本発明の実施例１の洗濯乾燥システムのシステムブロック図
【図２】本発明の実施例１の情報端末装置３５の内部ブロック図
【図３】本発明の実施例１の制御手段３６の動作フロ−チャ−ト
【図４】本発明の実施例１の表示手段２９に表示する第１の運転終了画面の一例図
【図５】本発明の実施例２の制御手段３６の動作フロ−チャ−ト
【図６】本発明の実施例３の制御手段３６の動作フロ−チャ−ト
【図７】本発明の実施例４の制御手段３６の動作フロ−チャ−ト
【図８】本発明の実施例５の制御手段３６の動作フロ−チャ−ト
【図９】本発明の実施例６の制御手段３６の動作フロ−チャ−ト
【図１０】本発明の実施例７の制御手段３６の動作フロ−チャ−ト
【図１１】本発明の実施例８の制御手段３６の動作フロ−チャ−ト
【図１２】本発明の実施例８の表示手段２９に表示する第２の運転終了画面の一例図
【図１３】本発明の実施例９の制御手段３６の動作フロ−チャ−ト
【図１４】本発明の実施例１０の制御手段３６の動作フロ−チャ−ト
【図１５】本発明の実施例１０の表示手段に割り込み表示する画面の構成図
【図１６】本発明の実施例１１の制御手段３６の動作フロ−チャ−ト
【図１７】従来の洗濯乾燥システムのシステムブロック図
【図１８】従来の洗濯乾燥装置１の縦断面図
【図１９】従来の洗濯乾燥装置１の内部ブロック図
【図２０】従来の情報端末装置２の内部ブロック図
【図２１】従来の情報端末装置２の正面図
【図２２】従来の表示手段２９に表示する機器状態表示画面の一例図
【図２３】従来の洗濯乾燥システムの制御手段３２の動作フロ−チャ−ト
【図２４】従来の表示手段２９に表示する運転終了画面の一例図
【図２５】従来の表示手段に割り込み表示する画面の構成図
【符号の説明】
１  洗濯乾燥装置
１８  開閉検知手段
２５  洗濯乾燥制御手段
２６  操作部
２７  予約設定手段
２８ａ  洗濯乾燥装置のデータ通信手段
２８ｂ  情報端末装置のデータ通信手段
２９  表示手段
２９ｋ  第１の運転終了画面
２９ｍ  第２の運転終了画面
３０  入力手段
３１  音声出力手段
３５  情報端末装置
３６  制御手段
【図１】
2005034186.tif 000003
【図２】
2005034186.tif 000004
【図３】
2005034186.tif 000005
【図４】
2005034186.tif 000006
【図５】
2005034186.tif 000007
【図６】
2005034186.tif 000008
【図７】
2005034186.tif 000009
【図８】
2005034186.tif 000010
【図９】
2005034186.tif 000011
【図１０】
2005034186.tif 000012
【図１１】
2005034186.tif 000013
【図１２】
2005034186.tif 000014
【図１３】
2005034186.tif 000015
【図１４】
2005034186.tif 000016
【図１５】
2005034186.tif 000017
【図１６】
2005034186.tif 000018
【図１７】
2005034186.tif 000019
【図１８】
2005034186.tif 000020
【図１９】
2005034186.tif 000021
【図２０】
2005034186.tif 000022
【図２１】
2005034186.tif 000023
【図２２】
2005034186.tif 000024
【図２３】
2005034186.tif 000025
【図２４】
2005034186.tif 000026
【図２５】
2005034186.tif 000027